(57)【特許請求の範囲】
【請求項１】
一方の屋根と、他方の屋根と、両屋根間に設けた合掌具とを備え、合掌具は、合掌カバーと、連結材と、裏板と、ネジを有し、合掌カバーは、両屋根間で対向する枠と略同じ長さであり、両屋根の対向する枠の上に跨って配置してあり、連結材と係合する連結材係合部を有し、連結材は、両屋根の対向する枠の下に跨って配置してあり、合掌カバーの連結材係合部と係合する連結材被係合部を有し、裏板にはネジ孔が形成してあり且つ裏板は合掌カバーに長手方向にスライド自在に係合してあるとともにネジ孔が合掌カバーから下方に露出しており、連結材の連結材被係合部を合掌カバーの連結材係合部に下方から弾発係合してあり、連結材の下面にネジ挿通孔が形成してあり、ネジは連結材のネジ挿通孔に下から挿通して裏板に螺合して合掌カバーと連結材を固定してあることを特徴する簡易建物。
【請求項２】
一方の屋根と、他方の屋根と、両屋根間に設けた合掌具とを備え、合掌具は、合掌カバーと、連結材と、水密材と、ネジを有し、合掌カバーは、両屋根間で対向する枠と略同じ長さであり、両屋根の対向する枠の上に跨って配置してあり、下部に連結材と係合する連結材係合部を有し、連結材は、両屋根の対向する枠の下に跨って配置してあり、合掌カバーの連結材係合部に係合する連結材被係合部を有し、水密材は合掌カバー又は連結材と屋根の枠との間に配置してあり、連結材の連結材被係合部は合掌カバーの連結材係合部に下方から上下動自在に弾発係合し、合掌カバーと連結材を下からネジで螺合することで合掌カバー又は連結材と屋根枠とで水密材を押圧して合掌カバーと連結材を固定していることを特徴する簡易建物。
【発明の詳細な説明】
【技術分野】
【０００１】
本発明は、カーポート等の簡易建物に関する。
【背景技術】
【０００２】
図９に示すように、従来のカーポート（簡易建物）１０１において、一方の屋根１０３と他方の屋根１０５とを連結する合掌具１０２は、両屋根の対向する枠１０７、１０７の上に跨って配置する合掌カバー１０９と、対向する枠１０７、１０７の下に跨って配置する連結材１０８とをボルト１１１及びナット１１３で固定していた。  
合掌カバー１０９は枠１０７と略同じ長さであり、ボルト１１１は、ボルト１１１の頭１１１ａを合掌カバー１０９のボルト係合溝１０９ａに合掌カバー１０９の一端側から挿通して、所定位置までボルト１１１をスライドして配置し、その位置で連結材１０８をボルト１１１の軸１１１ｂに下から挿入して、ボルトの軸１１１ｂにナット１１３で固定していた。  
【先行技術文献】
【非特許文献】
【０００３】
【非特許文献１】第９６７頁「三協アルミ  ＧＥＸ  ガーデンエクステリア  施工手引き書  車庫まわり１  カーポート編」カタログＮｏ．ＳＴＸ０３５９Ａ  三協立山アルミ株式会社  ２００８年１１月発行
【発明の概要】
【発明が解決しようとする課題】
【０００４】
しかし、従来のカーポートは、ナットで固定するときに連結材を手で支えながら作業する必要があり、施工性が悪いという問題があった。
【０００５】
そこで、本発明は、施工性が良い簡易建物の提供を目的とする。
【課題を解決するための手段】
【０００６】
請求項１に記載の発明は、一方の屋根と、他方の屋根と、両屋根間に設けた合掌具とを備え、合掌具は、合掌カバーと、連結材と、裏板と、ネジを有し、合掌カバーは、両屋根間で対向する枠と略同じ長さであり、両屋根の対向する枠の上に跨って配置してあり、連結材と係合する連結材係合部を有し、連結材は、両屋根の対向する枠の下に跨って配置してあり、合掌カバーの連結材係合部と係合する連結材被係合部を有し、裏板にはネジ孔が形成してあり且つ裏板は合掌カバーに長手方向にスライド自在に係合してあるとともにネジ孔が合掌カバーから下方に露出しており、連結材の連結材被係合部を合掌カバーの連結材係合部に下方から弾発係合してあり、連結材の下面にネジ挿通孔が形成してあり、ネジは連結材のネジ挿通孔に下から挿通して裏板に螺合して合掌カバーと連結材を固定してあることを特徴する簡易建物である。
【０００７】
請求項２に記載の発明は、一方の屋根と、他方の屋根と、両屋根間に設けた合掌具とを備え、合掌具は、合掌カバーと、連結材と、水密材と、ネジを有し、合掌カバーは、両屋根間で対向する枠と略同じ長さであり、両屋根の対向する枠の上に跨って配置してあり、下部に連結材と係合する連結材係合部を有し、連結材は、両屋根の対向する枠の下に跨って配置してあり、合掌カバーの連結材係合部に係合する連結材被係合部を有し、水密材は合掌カバー又は連結材と屋根の枠との間に配置してあり、連結材の連結材被係合部は合掌カバーの連結材係合部に下方から上下動自在に弾発係合し、合掌カバーと連結材を下からネジで螺合することで合掌カバー又は連結材と屋根枠とで水密材を押圧して合掌カバーと連結材を固定していることを特徴する簡易建物である。
【発明の効果】
【０００８】
請求項１に記載の発明によれば、連結材は合掌カバーに弾発係合しているので、連結材を合掌カバーの裏板にネジ止めする際に、連結材を手で保持し続けなくてもよいから、施工性が良い。  
合掌カバーの連結材係合部に連結材の連結材被係合部を取り付ける際に、裏板のネジ孔が見えるから裏板の位置を調整して、連結材のネジ挿通孔の位置に容易に合わせることができ、簡単に施工ができる。  
【０００９】
請求項２に記載の発明によれば、連結材は合掌カバーに弾発係合しているので、連結材を合掌カバーの裏板にネジ止めする際に、連結材を手で保持し続けなくてもよいから、施工性が良い。  
連結材は合掌カバーに上下動自在に係合しているから、水密材の押圧代を設けることができ、水密材があっても合掌カバーと連結材とを簡単に係合でき、水密材が確実に機能する。  
【図面の簡単な説明】
【００１０】
【図１】本発明の第１実施の形態にかかる簡易建物であって、図４（ａ）に示すＡ−Ａ断面図である。
【図２】図４（ａ）に示すＢ部の拡大図である。
【図３】図１に示す合掌具の部品図であり、（ａ）は連結材の正面図、（ｂ）は連結材の平面図、（ｃ）は合掌カバーの正面図、（ｄ）は裏板の平面図、（ｅ）は裏板の側面図である。
【図４】本発明の第１実施の形態にかかる簡易建物であって、（ａ）は平面図、（ｂ）は（ａ）に示すＣ−Ｃ断面図である。
【図５】本発明の第２実施の形態にかかる簡易建物であって、（ａ）は図７（ａ）に示すＤ−Ｄ断面図、（ｂ）は（ａ）に示すＥ部の拡大図である。
【図６】図５に示す合掌具の部品図であり、（ａ）は連結材の正面図、（ｂ）は連結材の平面図、（ｃ）は合掌カバーの正面図、（ｄ）は裏板の平面図、（ｅ）は裏板の側面図である。
【図７】本発明の第２実施の形態に係る簡易建物であって、（ａ）は平面図、（ｂ）は（ａ）に示すＦ−Ｆ断面図である。
【図８】第２実施の形態の変形例にかかる簡易建物であって、（ａ）は平面図、（ｂ）は（ａ）に示すＧ−Ｇ断面図である。
【図９】従来の簡易建物を示す図であり、（ａ）は一方の屋根と他方の屋根の合掌部分を示す断面図であり、（ｂ）は合掌カバーの端部側を示す分解斜視図である。
【発明を実施するための形態】
【００１１】
以下に、添付図面を参照して本発明の実施の形態を説明するが、まず図１〜図４を参照して本発明の第１実施の形態について説明する。  
図４に示すように、本発明の第１実施の形態にかかる簡易建物１は、カーポートであり、一方の屋根３と、他方の屋根５と、両屋根３、５間に設けた合掌具７とを備えている。
一方の屋根３と他方の屋根５とは、各々片持ちタイプのカーポート９の屋根であり、同種のカーポート９を連結して大きなタイプのカーポートにしている。各片持ちタイプのカーポート９は、各々、柱１１と、梁１３と、前枠１５（枠）を備えており、前枠１５を互いに対向して配置している。
【００１２】
図１に示すように、合掌具７は、合掌カバー１７と、裏板１８と、連結材１９と、水密材４９と、ネジ２１とを備えている。  
合掌カバー１７は、図２及び図４（ａ）に示すように、一方の屋根３と他方の屋根５との対向する前枠１５、１５と略同じ長さとしてある。  
図１及び図３（ｃ）に示すように、この合掌カバー１７には、各前枠１５、１５の上に載置する載置部２３と、両載置部２３、２３間に位置する中空状の中間部２５と、中間部２５の下側に設けた連結材係合部２７とが一体に形成してある。尚、図１に示すように、合掌カバー１７には各載置部２３、２３の上を覆う防水カバー２４がビス３１で止めてある。  
図１及び図３（ｃ）に示すように、連結材係合部２７は、互いに間隔をあけて対向した係合壁２９、２９を有し、各係合壁２９、２９には互いに対向する側に突設した上下の裏板移動規制部２９ａ、２９ｂが形成してある。裏板移動規制部２９ａ、２９ｂは、裏板１８の略厚み寸法分を上下に間隔をあけて設けてある。  
また、各係合壁２９、２９の下端部には、各々対向する側と反対側に突設する落下防止突起２９ｃが形成してある。  
【００１３】
裏板１８は、図１に示すように、係合壁２９、２９間で、左右側端部を上裏板移動規制部２９ａと下裏板移動規制部２９ｂとの間に摺動自在に挟み入れてある。また、図３（ｄ）（ｅ）に示すように、裏板１８にはネジ孔３２が長手方向に間隔をあけて２箇所形成されている。  
【００１４】
図４（ａ）及び図２に示すように、連結材１９は、合掌カバー１７の長手方向に間隔をあけて設けてあり、図３（ａ）（ｂ）に示すようにピース材である。  
図１及び図３（ａ）（ｂ）に示すように、連結材１９は、一方の屋根３の前枠１５の下面に配置する一方の枠下配置部３３ａと、他方の前枠１５の下面に配置する他方の枠下配置部３３ｂと、一方の枠下配置部３３ａと他方の枠下配置部３３ｂとの間に設けた下面部４１と、連結材被係合部３５とが一体に形成してある。  
一方の枠下配置部３３ａの左側端部と他方の枠下配置部３３ｂの右側端部には各前枠１５に係止する係止部３７が設けてある。  
連結材被係合部３５は、合掌カバー１７の連結材係合部２７に弾発係合するものであり、一方の屋根３側と他方の屋根５側とで下面部４１から立設した弾性変形可能な弾発部３９ａ、３９ｂの先端部に設けてある。  
図１に示すように、連結材被係合部３５は、係合壁２９を上下動自在であり、水密材４９の押圧代Ｌを上下動自在としてある。  
図３（ｂ）に示すように、下面部４１には、ネジ２１のネジ挿通孔４５が長手方向に間隔をあけて形成してある。  
【００１５】
図１に示すように、水密材４９は、一方の屋根３の前枠１５と合掌カバー１７の載置部２３との間及び他方の屋根５の前枠１５と合掌カバー１７の載置部２３との間に配置してあり、合掌カバー１７と前枠１５との間の水密を図っている。水密材４９はクッション性を有し、押し潰し可能である。図１には押し潰し前の状態を二点鎖線とハッチで示している。  
ネジ２１は、合掌カバー１７と連結材１９を固定するものであり、連結材１９の下面部４１に形成してあるネジ挿通孔４５に挿通して裏板１８のネジ孔３２に下から螺合している。  
【００１６】
次に、簡易建物１の施工、作用及び効果について説明する。  
簡易建物１の施工は、図４に示すように、一方のカーポート９と他方のカーポート９とを互いに各屋根３、５の前枠１５を対向するようにして、施工する。  
その後、一方の屋根３と他方の屋根５とを合掌具７で連結するが、合掌具７は以下のようにして取り付ける。  
一方の屋根３と他方の屋根５の各前枠１５と同じ長さで、各前枠１５に合掌カバー１７を跨って配置する。このときに、図１に示すように、合掌カバー１７の各載置部２３を各屋根３、５の前枠１５の上に載置し、中間部２５を対向する前枠１５、１５間に配置する。尚、各載置部２３と前枠１５との間には水密材４９を介在する。  
次に、合掌カバー１７の端から連結材係合部２７の対向する係合壁２９、２９間で、上裏板移動規制部２９ａと下裏板移動規制部２９ｂとの間に裏板１８を挿入して、連結材１９の取り付け位置で、裏板１８のネジ孔３２が連結材１９のネジ挿通孔４５の位置に合うように、裏板１８を移動する。  
その後、連結材１９の取り付け位置で、連結材１９を対向する前枠１５、１５の下に跨って配置し、連結材１９は一方の枠下配置部３３ａと他方の枠下配置部３３ｂとを前枠１５の下面に当接させると共に、連結材１９の連結材被係合部３５を合掌カバー１７の連結材係合部２７に下から押し込むようにして嵌め入れて、合掌カバー１７に連結材１９を係合する。  
連結材係合部２７と連結材被係合部３５との係合状態では、弾発部３９ａ、３９ｂにより連結材係合部２７に弾発して係合している。また、連結材被係合部３５は、落下防止突起２９ｃに上から係止した位置にある。  
尚、各枠下配置部３３ａ、３３ｂの係止部３７は前枠１５の下面に形成してある段部５１に対向して位置する。  
次に、裏板１８のネジ孔３２を連結材１９のネジ挿通孔４５に一致させるように裏板１８の位置を調整した後、下から止めるネジ２１の軸を連結材１９のネジ挿通孔４５に挿通して裏板１８のネジ孔３２に螺合して、ネジ２１を締め付ける。これにより、合掌カバー１７の載置部２３と前枠１５との間に配置してある水密材４９を押し潰すように押圧しつつ、連結材１９が締め上がり、図１に示す水密材４９の押圧代Ｌを締め上げて、合掌カバー１７と連結材１９を固定する。  
【００１７】
本実施の形態によれば、図１に示すように、連結材１９の連結材被係合部３５は合掌カバー１７の連結材係合部２７に弾発係合しているので、連結材１９を合掌カバー１７にネジ２１で止めする際に、連結材１９を手で保持し続けなくてもよいから、施工性が良い。
合掌カバー１７の連結材係合部２７に、連結材１９の連結材被係合部３５を取り付ける際に裏板１８のネジ孔３２が見えるから裏板１８の位置を調整して、連結材１９のネジ挿通孔４５の位置に容易に合わせることができ、簡単に施工ができる。  
連結材１９は合掌カバー１７に上下動自在に係合しているから、水密材４９の押圧代Ｌを設けることができ、水密材４９があっても合掌カバー１７と連結材１９とを簡単に係合でき、水密材４９が確実に機能する。  
【００１８】
合掌カバー１７の連結材係合部２７には、落下防止突起２９ｃが形成してあるので、万が一、弾発係合している連結材被係合部３５が下がっても落下防止突起２９ｃに連結材被係合部３５が引っ掛かるので、連結材１９の落下を防止できる。  
裏板１８にはネジ孔３２が形成してあるので、現場でのネジ孔加工が不要であるから、施工性が良い。また、裏板１８にはネジ孔３２が形成してあるから、通常のネジ２１を用いて下からの作業のみで裏板１８で合掌カバー１７と連結材１９を固定できる。即ち、裏板１８にネジ孔３２を形成していないでタッピングネジで裏板１８を固定するような場合には、裏板１８を下から強く押し上げる力がかかる為、合掌カバー１７が浮き上がらないように上から押さえる必要があるが、裏板１８にネジ孔３２を形成しておくことで、裏板１８を下から止めるネジ２１で止めるときに合掌カバー１７を上から押さえなくて済む。
合掌カバー１７の連結材係合部２７には裏板１８の上下方向の裏板移動規制部２９ａ、２９ｂが設けてあるから、ネジ２１を裏板１８にネジ止めする際に裏板１８が浮き上がらない。  
裏板１８はスライドするときにボルトの頭よりも安定してスライドできるから、連結材１９の取り付け位置への移動が容易にできる。  
【００１９】
以下に本発明の他の実施の形態を説明するが、以下に説明する実施の形態において、上述した第１実施の形態と同一の作用効果を奏する部分には同一の符号を付することによりその部分の詳細な説明を省略し、以下の説明では第１実施の形態と主に異なる点を説明する。  
図５〜図７に本発明の第２実施の形態にかかる簡易建物１を示す。図７に示すように、この第２実施の形態では、片持ちタイプの２つのカーポート９、９は、柱１１側を背中合わせに配置してあり、樋（枠）５３を対向配置している。  
図５に示すように、合掌カバー１７の各載置部２３は樋５３の上端に載置してあり、連結材１９の各枠下配置部は樋５３の下面に配置してある。  
水密材４９は連結材１９の一方の枠下配置部３３ａと樋５３の間及び、他方の枠下配置部３３ｂと樋５３の間に各々配置してある。  
また、連結材１９の枠下配置部３３ａ、３３ｂには、第１実施の形態における係止部３７を設けていない。  
その他の構成は、上述した第１実施の形態と同様である。  
この第２実施の形態によれば、枠下配置部３３ａ、３３ｂに設けた係止部３７の作用効果を除いて、上述した第１実施の形態と同様の作用効果を得ることができる。  
【００２０】
本発明は、上述した実施の形態に限らず、本発明の要旨を逸脱しない範囲で種々変形可能である。  
例えば、図８に示すように、一方の屋根３と他方の屋根５とは、同じ大きさに限らず、大きさが異なるものであっても良い。  
また、合掌具７で連結する一方の屋根３と他方の屋根５の各枠は、前枠１５や樋５３に限らず、側枠であっても良い。  
簡易建物１は、カーポートの屋根を連結するものに限らず、シェルターであっても良く、一方の屋根３と他方の屋根５とを連結するものであれば良い。  
一方の屋根３と他方の屋根５とは、両屋根間で対向する枠１５、１５の長さが異なるものであっても良い。この場合、合掌具７では短い方の枠１５に合わせて対向する枠１５、１５を連結する。  
【符号の説明】
【００２１】
１    簡易建物
３    一方の屋根
５    他方の屋根
７    合掌具
１５  前枠（枠）
１７  合掌カバー
１８  裏板
１９  連結材
２１  ネジ
２７  連結材係合部
３２  ネジ孔
３５  連結材被係合部
４５  ネジ挿通孔
５３  樋（枠）
【図１】
0006454574.tif 000002
【図２】
0006454574.tif 000003
【図３】
0006454574.tif 000004
【図４】
0006454574.tif 000005
【図５】
0006454574.tif 000006
【図６】
0006454574.tif 000007
【図７】
0006454574.tif 000008
【図８】
0006454574.tif 000009
【図９】
0006454574.tif 000010